(57)【要約】【課題】平板状をなす複数のパネルを備えた構成にあって、室内スペースに応じた所望のレイアウトに設置することができると共に、その設置作業の簡単化を図ることができるパーティションを提供する。【解決手段】パーティションは、前面板５ａと後面板との間に、側縁部が開放された収納空間を有するメインパネル２と、このメインパネル２に対して収納空間への収納が可能に配置されるサイドパネル３，４とを備える。サイドパネル３，４は、ガイド手段によって、前記収納空間に収納した収納位置と前記側縁部から側方へ引き出した引出位置との間で引き出し可能にガイドされる。また、サイドパネルは、支持手段によって、当該サイドパネル３，４の一方の側縁部を回動中心として回動するように支持される。【選択図】図２
0003176670.tif 000002
【実用新案登録請求の範囲】
【請求項１】
室内スペースを区画する平板状のパネルを備えたパーティションであって、
前面板及び後面板を備え、それら前面板と後面板との間に、側縁部が開放された収納空間を有するメインパネルと、
前記メインパネルに対して、前記収納空間への収納が可能に配置されるサイドパネルと、
前記サイドパネルを、前記収納空間に収納した収納位置と前記側縁部から側方へ引き出した引出位置との間で、前記前面板あるいは前記後面板に沿って引き出し可能にガイドするガイド手段と、
前記サイドパネルが前記引出位置に引き出された状態で、当該サイドパネルを、その一方の側縁部を回動中心として前記メインパネルの前面板側及び後面板側への回動が可能に支持する支持手段と、
を具備したことを特徴とするパーティション。
【請求項２】
前記サイドパネルは、前記メインパネルに対して、前記収納空間への収納が可能に配置される第１サイドパネルと第２サイドパネルとで構成され、
前記第１サイドパネル及び前記第２サイドパネルは、相互に同じ寸法形状をなし又は略同じ寸法形状をなし、前記収納位置に収納された状態で、前記前面板あるいは前記後面板の板厚方向に相互重なるように配置されることを特徴とする請求項１記載のパーティション。
【請求項３】
前記メインパネルは、その一方の側縁部に形成された前記第１サイドパネル用の開口部と、他方の側縁部に形成された前記第２サイドパネル用の開口部とを備え、
前記第１サイドパネル及び前記第２サイドパネルは、前記メインパネルにおける夫々の前記開口部から相互に離間する方向へ各別に引き出すように構成されていることを特徴とする請求項２記載のパーティション。
【請求項４】
前記サイドパネルの一方の側縁部に連なり、前記メインパネルの前記収納空間に収納される矩形枠状または矩形平板状のインナーパネルと、
前記インナーパネルにおける上縁部側及び下縁部側の何れか一方側または双方に設けられたローラ部材と、を具備し、
前記ガイド手段は、前記メインパネルの内部にて前記ローラ部材をガイドするガイドレールを備え、
前記支持手段は、前記インナーパネルに設けられ、前記サイドパネルの一方の側縁部を、鉛直軸の周りに回動可能に支持する軸部材を備えることを特徴とする請求項１から３の何れかに記載のパーティション。
【請求項５】
前記サイドパネルの下部にキャスタを具備し、
前記メインパネルにおける下部の側縁部に、前記サイドパネルの前記収納位置への移動を許容するキャスタ用の切欠部を形成し、
前記サイドパネルは、前記収納位置で当該サイドパネルの側縁部が前記メインパネルの側縁部と面一になるように収納されることを特徴とする請求項１から４の何れかに記載のパーティション。
【請求項６】
前記メインパネルの下部に設けられ、前記メインパネルの板厚方向に延びるキャスタ基台と、
当該キャスタ基台の長手方向の両端部に配設されたキャスタとを具備し、
比較的高さの低いローパーティションとして、床面上に自立させた状態で用いられることを特徴とする請求項１から５の何れかに記載のパーティション。
【考案の詳細な説明】
【技術分野】
【０００１】
本考案は、室内スペースを区画する平板状のパネルを備えたパーティションに関する。
【背景技術】
【０００２】
従来より、上記パーティションのパネルは、例えば床面上に自立させた状態で用いられ、オフィス等の室内の間仕切りとして広く使用されている。この種のパーティションにあっては、パネル同士を直線状に連結したり、「Ｌ」の字状や「十」の字状に連結した所定のレイアウトで設置される。このように、パーティションのパネル同士を連結固定する場合、その連結部として専用の金具が用いられ、その金具を一方のパネルと他方のパネルとに掛け渡した状態でボルトにより固定するようになっている。
【先行技術文献】
【特許文献】
【０００３】
【特許文献１】特開２０００−１１６４８３号公報
【考案の概要】
【考案が解決しようとする課題】
【０００４】
しかしながら、前記の金具は、直線状の連結形態の時と「L」の字状の連結形態の時と「十」の字状の連結形態の時とでその形状が異なり、パーティションのパネルの連結形態ごとに専用のものを用意する必要がある。このため、金具の種類が増えると共に当該パネルの連結作業も面倒なものとなっていた。また、従来のパーティションでは、上記した所定寸法のパネルを直線状あるいは「Ｌ」字状等に連結した配置形態に制約されるため、室内スペースの大きさやＯＡ機器の配置等に応じたレイアウトにできない場合が生じうる。
【０００５】
本考案は、上記事情に鑑みてなされたものであり、その目的は、平板状をなす複数のパネルを備えた構成にあって、室内スペースに応じた所望のレイアウトに設置することができると共に、その設置作業の簡単化を図ることができるパーティションを提供することにある。
【課題を解決するための手段】
【０００６】
上記目的を達成するために本考案によるパーティションは、室内スペースを区画する平板状のパネルを備えたものであり、前面板及び後面板を備え、それら前面板と後面板との間に、側縁部が開放された収納空間を有するメインパネルと、前記メインパネルに対して、前記収納空間への収納が可能に配置されるサイドパネルと、前記サイドパネルを、前記収納空間に収納した収納位置と前記側縁部から側方へ引き出した引出位置との間で、前記前面板あるいは前記後面板に沿って引き出し可能にガイドするガイド手段と、前記サイドパネルが前記引出位置に引き出された状態で、当該サイドパネルを、その一方の側縁部を回動中心として前記メインパネルの前面板側及び後面板側への回動が可能に支持する支持手段と、を具備したことを特徴とする。
【考案の効果】
【０００７】
本考案によれば、サイドパネルをメインパネルから所望の位置まで引き出して、室内スペースに応じた間仕切りを行うことができる。このサイドパネルの拡張について、ガイド手段によりメインパネルに沿う直線状の移動により、必要最小限のスペースで行うことができる。また、本考案のパーティションでは、メインパネルに対してサイドパネルを収納し、あるいは前記引出位置でサイドパネルを回動させることができるので、空間設計を容易とし、レイアウトの自由度を高めることができる。
【図面の簡単な説明】
【０００８】
【図１】本考案の一実施形態を示すものであり、サイドパネルを収納した状態で示すパーティション全体の正面図
【図２】（ａ）及び（ｂ）は、サイドパネルをメインパネルから引き出した状態及び回動させた状態で示す外観斜視図
【図３】（ａ）及び（ｂ）は、メインパネルのコーナ部を拡大して示す分解斜視図及び外観斜視図
【図４】サイドパネルのコーナ部を拡大して示す分解斜視図
【図５】パーティションの分解斜視図
【図６】メインパネルに対するサイドパネルの組付け時の様子を説明するための図であって、（ａ）及び（ｂ）は、パーティション上部及び下部における斜視図
【図７】メインパネルにおけるガイド構造及び支持構造を説明するための図で、当該パネルを一部破断して示す拡大斜視図
【図８】サイドパネルを収納した状態で示すパーティション下部の拡大斜視図
【図９】（ａ）〜（ｃ）は、パーティションの使用形態を説明するための図
【図１０】（ａ）〜（ｃ）は、パーティションのレイアウト例を示す図
【考案を実施するための最良の形態】
【０００９】
以下、本考案の一実施形態について、図１〜図１０を参照しながら説明する。なお、本実施形態では、パーティション１の正面図を示す図１において、同図の紙面に対する垂直方向を前後方向とする。また、パーティション１は、比較的背丈の低い所謂ローパーティションであって、オフィス等の室内スペースの間仕切りとして適用されるものとする。
【００１０】
パーティション１は、図１に示すメインパネル２と、当該パネル２内部の収納空間への収納が可能に配置される第１サイドパネル３及び第２サイドパネル４（図２参照）とを備える。第１、第２サイドパネル３，４は、前記収納空間に収納した収納位置と、左右両側方へ引き出した引出位置との間での引き出しが可能に構成されると共に、前記引出位置に引き出された状態で、基端側を回動中心として鉛直軸の周りに回動するように構成されている。
前記メインパネル２は、図１、図３（ａ）に示すように、矩形状をなす前面板５ａ及び後面板５ｂと、それらの板５ａ，５ｂの外周縁部を囲う枠部６とを有し、全体として矩形平板状をなしている。前面板５ａ及び後面板５ｂには、例えば布状表面材（クロス）としての外被部材７が夫々貼設されている。枠部６は、その左辺部及び右辺部を構成する一対の縦フレーム１０，１１と、上辺部及び下辺部を構成する横フレーム１２とからなる。
【００１１】
図３（ａ）（ｂ）に示すように、メインパネル２の上部において、横フレーム１２は下側が開放された断面「コ」字状をなして左右方向に延びており、その内側に沿ってガイドレール１３が収容配置されている。ガイドレール１３は、下側が開放された断面「ヨ」字状をなし、その前半部に第１サイドパネル３用のレール部１３ａ，１３ａ´、後半部に第２サイドパネル４用のレール部１３ｂ，１３ｂ´を有する。前半部のレール部１３ａ，１３ａ´と、後半部のレール部１３ｂ，１３ｂ´は、夫々ガイドレール１３内壁部にて対向するように形成されている。図示は省略するが、メインパネル２下部では、横フレーム１２及びガイドレール１３が上部とは対称的に（つまり上側が開放されるように）配置される。これにより、メインパネル２の上部では、後述するローラ部材をレール部１３ａ，１３ｂによりガイドし（図７参照）、メインパネル２下部では、ローラ部材をレール部１３ａ´，１３ｂ´によりガイドするようになっている。
【００１２】
図３（ｂ）に示すように、上記のガイドレール１３が横フレーム１２に収納された状態で、両者１２，１３間に、前後一対の差込み部１４ａ，１４ｂが形成される。この枠部６における上辺部と下辺部の各差込み部１４ａ，１４ｂに対して、前面板５ａ、後面板５ｂ及び縦フレーム１０の上端部と下端部が夫々差し込まれるようにして固定される。これにより、前面板５ａと後面板５ｂとの間には、前後に重ねた二枚のサイドパネル３，４が収まる収納空間Ｓが形成される（図３（ｂ）、図７、図９参照）。なお、上辺部の横フレーム１２には、その上面側を覆う上カバー１５と、左右の両端部を覆うコーナキャップ１６（図６（ａ）等参照）とが装着される。
【００１３】
前記縦フレーム１０，１１は何れも上下方向へ延びており、一方の縦フレーム１０は、他方の縦フレーム１１に比し幅狭に形成されている。図３（ａ）に示すように、各縦フレーム１０，１１には、前面板５ａ或は後面板５ｂの側縁部（左右の端部）が嵌合する嵌合溝１０ａ，１１ａが設けられている。図３（ａ）（ｂ）に示すように、メインパネル２の左部では、縦フレーム１０は前側に、縦フレーム１１は後側に配置された状態で組み付けられる。これにより、メインパネル２左部の縦フレーム１０，１１間には、第１サイドパネル３を出し入れするための前側開口部１７ａが形成される。一方、メインパネル２の右部では、縦フレーム１０は後側に、縦フレーム１１は前側に配置される（図８参照）。このため、メインパネル２右部の縦フレーム１０，１１間には、第２サイドパネル４を出し入れするための後側開口部１７ｂが形成される。
【００１４】
図６（ｂ）、図８に示すように、メインパネル２下部には、横フレーム１２とガイドレール１３の左右両端部を、各開口部１７ａ，１７ｂに対応させて切り欠いた切欠部１８ａ，１８ｂが設けられている。詳しくは後述するように、切欠部１８ｂによって、第２サイドパネル４のキャスタ１９Ｂ上部（図８のキャスタ支持部２０Ｂ参照）が収納空間Ｓに納まるようになっている。これにより、第２サイドパネル４の右縁部が、メインパネル２右部の縦フレーム１０，１１と面一になるように収納される（図１、図８参照）。同様に、切欠部１８ａによって、第１サイドパネル３のキャスタ１９Ａ上部が収納空間Ｓに納まり、第１サイドパネル３の左縁部が、メインパネル２左部の縦フレーム１０，１１と面一になるように収納される（図１参照）。
【００１５】
メインパネル２下部の横フレーム１２には、左右一対のキャスタ基台２１が設けられている。キャスタ基台２１は、メインパネル２の板厚方向に延びる長尺な板状をなしており、その前後両端部にキャスタ２２が夫々設けられている。これらキャスタ基台２１及び各キャスタ２２、並びにキャスタ１９Ａ，１９Ｂは脚部として、パーティション１の全体を安定して床面Ｆ上に自立させることができる。また、各キャスタ１９Ａ，１９Ｂ，２２は、パーティション１を移動させる向きによって自在に方向が変わるため、パーティション１をスムーズに移動させることができる。
【００１６】
第１、第２サイドパネル３，４は、前記収納空間Ｓに収納される第１、第２インナーパネル２３，２４（図５参照）に連結される。これら第１サイドパネル３及び第１インナーパネル２３と、第２サイドパネル４及び第２インナーパネル２４は、基本的に同様に構成されているので、第１サイドパネル３側の構成要素の符号に「Ａ」を、第２サイドパネル４側の構成要素の符号に「Ｂ」を夫々付して一括して説明する。
【００１７】
図５に示すように、第１、第２サイドパネル３，４は、矩形状の板材２５Ａ，２５Ｂと、当該板材２５Ａ，２５Ｂの外周縁部を囲う枠部２６Ａ，２６Ｂとを有する。板材２５Ａ，２５Ｂは、例えば透明な樹脂材料からなり、前記開口部１７ａ，１７ｂの幅寸法より若干小さい厚み寸法に設定されている。なお、板材２５Ａ，２５Ｂはガラスにより構成してもよいし、メインパネル２と同様に外被部材７を前後両面に貼設してもよい。
【００１８】
枠部２６Ａ，２６Ｂは、その左辺部及び右辺部を構成する縦フレーム２７Ａ，２７Ｂと、上辺部及び下辺部を構成する横フレーム２８Ａ，２８Ｂと、四隅に配設されるコーナジョイント２９Ａ，２９Ｂとからなる。図４に示すように、コーナジョイント２９Ａ，２９Ｂのジョイント本体部３０Ａ，３０Ｂはブロック状をなし、横方向に突出する嵌合突部３１Ａ，３１Ｂと、縦方向に突出する嵌合突部３２Ａ，３２Ｂとを一体に有する。また、ジョイント本体部３０Ａ，３０Ｂには、板材２５Ａ，２５Ｂの隅部が嵌合する嵌合溝３３Ａ，３３Ｂが設けられている。また、同図に示すように、第１、第２サイドパネル３，４の縦フレーム２７Ａ，２７Ｂは、嵌合突部３２Ａ，３２Ｂが嵌合する嵌合孔３４Ａ，３４Ｂと、板材２５Ａ，２５Ｂの左右の縁部が嵌合する嵌合溝３５Ａ，３５Ｂとを有し、中空状をなしている。詳しい図示は省略するが、横フレーム２８Ａ，２８Ｂも同様に、嵌合突部３１Ａ，３１Ｂが嵌合する嵌合孔と、板材２５Ａ，２５Ｂの上下の縁部が嵌合する嵌合溝とを有し、中空状をなす。こうして、板材２５Ａ，２５Ｂの周縁部には、外側から各フレーム２７Ａ，２７Ｂ，２８Ａ，２８Ｂ及びコーナジョイント２９Ａ，２９Ｂの嵌合溝に差し込まれるようにして枠部２６Ａ，２６Ｂが組み付けられる。
【００１９】
図５に示すように、枠部２６Ａ，２６Ｂのコーナジョイント２９Ａ，２９Ｂのうち、第１、第２インナーパネル２３，２４への連結側（収納側）のジョイント２９Ａ，２９Ｂは、被支持部とされている。具体的には、図６（ａ）に示すように、第１サイドパネル３の上部において、右側（収納側）のコーナジョイント２９Ａには、第１インナーパネル２３の支持部４０Ａが嵌り込む凹部３７Ａが設けられている。当該コーナジョイント２９Ａには、軸部材３６が挿通される挿通孔３８Ａが上下に延びるように設けられている。図６（ｂ）に示すように、第１サイドパネル３下部のコーナジョイント２９Ａにも、上部と同様の凹部３７Ａと挿通孔３８Ａが設けられている。これらコーナジョイント２９Ａにおける各挿通孔３８Ａと、これに対応する支持部４０Ａの挿通孔４１Ａとに軸部材３６が挿通されることにより、第１サイドパネル３は軸部材３６の周りに回動する。なお、軸部材３６は例えば先端側がねじ部とされ、挿通孔３８Ａへ螺挿されることにより、鉛直方向を指向した状態で固定される。
【００２０】
詳しい図示は省略するが、第２サイドパネル４も同様に、左側のコーナジョイント２９Ｂにおける各挿通孔３８Ｂと（図５参照）、これに対応する支持部４０Ｂの挿通孔４１Ｂとに軸部材３６が挿通されることで、軸部材３６の周りに回動する。なお、図５、図６（ａ）（ｂ）に示すように、第１、第２サイドパネル３，４における連結側のコーナジョイント２９Ａ，２９Ｂ及び縦フレーム２７Ａ，２７Ｂには、Ｒ状の面取り部４２Ａ，４２Ｂが形成されている。
一方、前記第１、第２インナーパネル２３，２４の下部には、引出側つまり連結側とは反対側に位置させて、下端にキャスタ１９Ａ，１９Ｂを有するキャスタ支持部２０Ａ，２０Ｂが設けられている。
【００２１】
第１、第２インナーパネル２３，２４は、全体として矩形枠状をなす（矩形平板状でもよい）。第１、第２インナーパネル２３，２４は、第１、第２サイドパネル３，４への連結側の縁部に、前記支持部４０Ａ，４０Ｂが設けられている。具体的には、図６（ａ）（ｂ）に示すように、第１インナーパネル２３の左縁部には、上下一対の支持部４０Ａが左方へ突出するように形成されている。支持部４０Ａの先端側には、Ｒ状の面取り部４３Ａが形成されている。従って、図７に示すように、支持部４０Ａのみをメインパネル２の前側開口部１７ａから露出させた状態で、その面取り部４３Ａと、第１サイドパネル３の面取り部４２Ａとにより、パネル２，３，２３同士が干渉することなく、第１サイドパネル３を回動させることができる。
【００２２】
詳しい図示は省略するが、第２インナーパネル２４も同様に、上下一対の支持部４０Ｂが（図５参照）、左方へ突出するように設けられている。そして、支持部４０Ｂのみをメインパネル２の後側開口部１７ｂから露出させた状態で、その面取り部４３Ｂと、第２サイドパネル４の面取り部４２Ｂとにより、パネル２，４，２４同士が干渉することなく、第２サイドパネル４を回動させることができる。上記した支持部４０Ａ，４０Ｂ及び軸部材３６を備える第１、第２インナーパネル２３，２４は支持手段に相当する。
【００２３】
図５に示すように、第１サイドパネル３と第１インナーパネル２３の幅寸法Ｗ１，Ｗ１´は、それらの合計値がメインパネル２の幅寸法Ｗ０以下となるように設定されている（Ｗ１＋Ｗ１´≦Ｗ０）。また、第１サイドパネル３と第１インナーパネル２３の高さ寸法Ｈ１，Ｈ１´は、相互に同じ値で且つメインパネル２の高さ寸法Ｈ０より小さく設定されている（Ｈ１＝Ｈ１´＜Ｈ０）。他方、第１サイドパネル３と第２サイドパネル４、並びに第１インナーパネル２３と第２インナーパネル２４は、夫々相互に同じ寸法形状をなす（Ｗ１＝Ｗ２、Ｈ１＝Ｈ２、並びにＷ１´＝Ｗ２´、Ｈ１´＝Ｈ２´）。
【００２４】
そして、第１、第２インナーパネル２３，２４の上縁部及び下縁部には、ローラ部材４５Ａ〜４８Ａ，４５Ｂ〜４８Ｂが設けられている。詳細には、図６、図７に示すように、第１インナーパネル２３の上面側には、左右両端部に位置させて一対のローラ部材４５Ａ、４６Ａが設けられている。各ローラ部材４５Ａ、４６Ａは、ガイドレール１３のレール部１３ａを走行する四個のローラ５０と、各ローラ５０を第１インナーパネル２３上面に取り付けるための取付部５１とで構成される。図６（ｂ）に示すように、第１インナーパネル２３の下面側にも、ローラ部材４７Ａ、４８Ａが設けられている。図示は省略するが、ローラ部材４７Ａ、４８Ａは、下側のガイドレール１３のレール部１３ａ´を走行するようになっている。なお、図６（ｂ）中、左側のローラ部材４８Ａは、メインパネル２下部の切欠部１８ａに対応させて、やや右寄りの位置に設けられている。このため、第１サイドパネル３の引出位置で、ローラ部材４８Ａが切欠部１８ａまで左側に引き出されることがない。
【００２５】
第２インナーパネル２４には、上面側のローラ部材４５Ｂ、４６Ｂと下面側のローラ部材４７Ｂ、４８Ｂとが、第１インナーパネル２３のローラ部材４５Ａ〜４８Ａと左右対称に配置されている（図５参照）。ローラ部材４５Ｂ，４６Ｂは、上側のガイドレール１３のレール部１３ｂを走行し、ローラ部材４７Ｂ，４８Ｂは、下側のガイドレール１３のレール部１３ｂ´を走行する。これらローラ部材４５Ａ〜４８Ａ，４５Ｂ〜４８Ｂ、並びにガイドレール１３は、第１、第２インナーパネル２３，２４を介して、第１、第２サイドパネル３，４を引き出し可能にガイドするガイド手段に相当する。
【００２６】
上記した第１インナーパネル２３及び第１サイドパネル３の組み付けは、以下のように行われる。即ち、図６（ａ）（ｂ）に示すように、第１インナーパネル２３を、メインパネル２内へ前側開口部１７ａから挿入する。この場合、メインパネル２上部のガイドレール１３にローラ部材４５Ａ、４６Ａの各ローラ５０を、下部のガイドレール１３にローラ部材４７Ａ、４８Ａの各ローラ５０を夫々ガイドさせるようにして収納する。次いで、図７に示すように、第１インナーパネル２３をメインパネル２内へ収納し且つその支持部４０Ａを露出させた状態で、第１サイドパネル３を取り付ける。この場合、上下一対の支持部４０Ａに、第１サイドパネル３の各凹部３７Ａを嵌め込むようにして支持させる（図６（ａ）（ｂ）参照）。この状態で、各挿通孔３８Ａに軸部材３６が夫々螺挿されることにより、第１サイドパネル３が回動可能に組み付けられる。
【００２７】
また、メインパネル２上部のガイドレール１３に、上記のようにローラ部材４５Ａ、４６Ａを収納した後、横フレーム１２の左端部に、その開口を閉塞するコーナキャップ１６が取り付けられる。なお、第２インナーパネル２４及び第２サイドパネル４の組み付けは、第１インナーパネル２３及び第１サイドパネル３と同様に行われるため、その説明を省略する。
【００２８】
次に、上記パーティション１の作用について説明する。
先ず、図１、図９（ａ）に示すように、パーティション１は、第１、第２サイドパネル３，４を収納位置に移動させた状態では、外観上、一枚のパネル２となる。この状態では、第１、第２サイドパネル３，４は相互に重なり、且つメインパネル２における前後の板５ａ，５ｂ間に挟まれるようにして収納されている。従って、パーティション１を移動させる際、各パネル２，３，４をバラけさせることなく、キャスタ１９Ａ，１９Ｂ，２２によりスムーズに移動させることができる。
【００２９】
ここで、パーティション１は、メインパネル２からサイドパネル３，４の何れか一方を引き出すことにより、図９（ｂ）に示すような所謂二連パネルとなる。例えば、メインパネル２内から第２サイドパネル４を右方へ引き出す。このとき、第２サイドパネル４と一体的に移動する第２インナーパネル２４は、上下両側のローラ部材４５Ｂ〜４８Ｂがレール部１３ｂ，１３ｂ´にガイドされながら、メインパネル２の内壁に沿ってスライド移動する。これにより、第２サイドパネル４全体を、メインパネル２から引き出した引出位置まで直線状にスライドさせ、二連パネルとして拡げることができる。
【００３０】
そして、パーティション１は、メインパネル２から両サイドパネル３，４を引き出すことにより、図２（ａ）、図９（ｃ）に示すような三連パネルとなる。即ち、上記のように第２サイドパネル４をメインパネル２内から右方へ引き出すと共に、第１サイドパネル３を、メインパネル２内から左方へ引き出す。第１サイドパネル３も、第２サイドパネル４と同様に、第１インナーパネル２３のローラ部材４５Ａ〜４８Ａを介してレール部１３ａ，１３ａ´にガイドされる。これにより、両サイドパネル３，４を、左右両側へ直線状にスライドさせ、三連パネルとして拡げることができる。
【００３１】
更には、引出位置まで引き出された各サイドパネル３，４は、図２（ｂ）、図９（ｃ）の二点鎖線で示すように前方側と後方側へ回動させることができる。この場合、各サイドパネル３，４は、メインパネル２に対して例えば９０度をなす位置まで前後方向へ回動する。このため、パーティション１の各パネル２，３，４を上記した形態とし、あるいは複数のパーティション１を用いて、室内スペースに応じた所望のレイアウトに設置することができる。
例えば、パーティション１をオフィス等の室内で用いるものとする。当該室内の間仕切りとして、メインパネル２のみの幅寸法Ｗ０では足りず、三連パネルとしたときの幅寸法（Ｗ０＋Ｗ１＋Ｗ２）では収まらない場合、両サイドパネル３，４の何れか一方または双方の引き出し量を前記室内スペースに合わせて調整する。換言すれば、パーティション１全体の幅寸法を、両サイドパネル３，４のスライド量の調整により、所望の大きさに設定することができる。
【００３２】
図１０（ａ）に示すように、室内スペースが比較的大きい場合、三連パネルとして拡げたパーティション１を複数並べて配置する。この場合、一方のパーティション１の第２サイドパネル４と、他方のパーティション１の第１サイドパネル３を、夫々の側縁部が板厚方向に重なるように連設する。これにより、複数のパーティション１を直線状に見栄えよく並べて設置することができる。
【００３３】
また、図１０（ｂ）に示すように、複数のパーティション１で四方を囲むブース（あるいは目隠し）Ｂ１を設置することができる。即ち、第２サイドパネル４を９０度回動させた三連パネルの三つのパーティション１、並びに二連パネルとした一つのパーティション１によって、出入口ＥのあるブースＢ１の間仕切りを構成する。更には、図１０（ｃ）に示すように、三連パネルとしたパーティション１により、平面視にて略曲線状をなすブースＢ２を設置することができる。この場合、各パーティション１の両サイドパネル３，４を、ブースＢ２の大きさ乃至曲率に合わせて内側へ回動させ、全体として略円弧状あるいは略円環状（正多角形）をなすように配置する。なお、図１０（ａ）〜（ｃ）に示すパーティション１の配置形態は一例にすぎず、室内スペース等に応じて種々のレイアウトをとることができる。
【００３４】
以上説明したように、本実施形態のパーティション１は、サイドパネル３，４を、収納空間Ｓに収納した収納位置とメインパネル２から側方へ引き出した引出位置との間で、前面板５ａあるいは後面板５ｂに沿って引き出し可能にガイドするガイド手段と、サイドパネル３，４が引出位置に引き出された状態で、当該サイドパネル３，４を、その一方の側縁部を回動中心としてメインパネル２の前面板５ａ側及び後面板５ｂ側への回動が可能に支持する支持手段とを備える。
【００３５】
上記構成によれば、サイドパネル３，４をメインパネル２から所望の位置まで引き出して、室内スペースに応じた間仕切りを行うことができる。このサイドパネル３，４の拡張について、ガイド手段によりメインパネル２に沿う直線状の移動により必要最小限のスペースで行うことができる。また、パーティション１では、メインパネル２に対してサイドパネル３，４を収納し、あるいは引出位置でサイドパネル３，４を回動させることができるので、空間設計を容易とし、レイアウトの自由度を高めることができる。
【００３６】
第１サイドパネル３及び第２サイドパネル４は、相互に同じ寸法形状をなし、収納位置に収納された状態で、前面板５ａあるいは後面板５ｂの板厚方向に相互重なるように配置される。これによれば、第１、第２サイドパネル３，４をメインパネル２の収納空間Ｓにコンパクトに収納することができると共に、第１、第２サイドパネル３，４の幅寸法を極力大きく設定することができる。
第１サイドパネル３及び第２サイドパネル４は、メインパネル２における夫々の開口部から相互に離間する方向へ各別に引き出すように構成されている。これによれば、両サイドパネル３，４をメインパネル２の両側方へ各別に拡げることができ、使い勝手のよいものとすることができる。
【００３７】
ガイド手段は、メインパネル２の内部にてローラ部材４５Ａ〜４８Ａ，４５Ｂ〜４８Ｂをガイドするガイドレール１３を備え、支持手段は、インナーパネル２３，２４に設けられ、サイドパネル３，４の一方の側縁部を、鉛直軸の周りに回動可能に支持する軸部材３６を備える。これによれば、ローラ部材４５Ａ〜４８Ａ，４５Ｂ〜４８Ｂによって、第１、第２サイドパネル３，４を、ガイドレール１３に沿ってスムーズに引き出すことができる。また、軸部材３６とインナーパネル２３，２４を用いた簡単な構成で、第１、第２サイドパネル３，４を前後方向への回動が可能に支持することができる。
【００３８】
サイドパネル３，４の下部にキャスタ１９Ａ，１９Ｂを具備し、メインパネル２における下部の側縁部に、サイドパネル３，４の収納位置への移動を許容するキャスタ１９Ａ，１９Ｂ用の切欠部１８ａ，１８ｂを形成し、サイドパネル３，４は、収納位置で当該サイドパネル３，４の側縁部がメインパネル２の側縁部と面一になるように収納される。これによれば、サイドパネル３，４をキャスタ１９Ａ，１９Ｂによって、よりスムーズに引き出すことができる。また、サイドパネル３，４の側縁部がメインパネル２の側縁部と面一となるように収納されるため、パーティション１としての外観意匠性を高めることができる。
【００３９】
パーティション１は、メインパネル２の下部に設けられ且つ当該パネルの板厚方向に延びるキャスタ基台２１と、その基台２１の長手方向の両端部に配設されたキャスタ２２とを具備し、比較的高さの低いローパーティションとして、床面Ｆ上に自立させた状態で用いられる。これによれば、脚部としてのキャスタ基台２１及びキャスタ２２により、メインパネル２ひいてはパーティション１全体を安定して自立させることができる。また、パーティション１を移動させる際、第１、第２サイドパネル３，４をメインパネル２に収納することでバラけさせることなく、キャスタ２２によりスムーズに移動させることができる。
【００４０】
なお、本考案は上記した実施形態にのみ限定されるものではなく、次のように変形または拡張することができる。本考案のパーティション１はオフィスの間仕切りに限られず、展示場等の間仕切りとして使用される等、床面Ｆ上に自立させた状態で用いられるローパーティション全般に適用できるものである。
第１サイドパネル３及び第２サイドパネル４は、相互に略同じ寸法形状をなすように構成してもよく、この場合でも、上記実施形態と同様の効果を奏する。また、インナーパネル２３，２４は、メインパネル２の収納空間Ｓに収納される矩形平板状に形成してもよい。
【符号の説明】
【００４１】
図面中、１はパーティション、２はメインパネル、３は第１サイドパネル，４は第２サイドパネル、５ａは前面板、５ｂは後面板、１３はガイドレール（ガイド手段）、１８ａ，１８ｂは切欠部、１９Ａ，１９Ｂはキャスタ、２１はキャスタ基台、２２はキャスタ、２３は第１インナーパネル（支持手段）、２４は第２インナーパネル（支持手段）、３６は軸部材、４０Ａ，４０Ｂは支持部（支持手段）、４５Ａ〜４８Ａ，４５Ｂ〜４８Ｂはローラ部材、Ｓは収納空間を示す。
【図１】
0003176670.tif 000003
【図２】
0003176670.tif 000004
【図３】
0003176670.tif 000005
【図４】
0003176670.tif 000006
【図５】
0003176670.tif 000007
【図６】
0003176670.tif 000008
【図７】
0003176670.tif 000009
【図８】
0003176670.tif 000010
【図９】
0003176670.tif 000011
【図１０】
0003176670.tif 000012